【手続補正書】
【提出日】平成18年2月2日(2006.2.2)
【手続補正１】
【補正対象書類名】特許請求の範囲
【補正対象項目名】全文
【補正方法】変更
【補正の内容】
【特許請求の範囲】
【請求項１】
電気アーク溶接のための電源であって、
前記電源が、出力変圧器の一次側を駆動する高速スイッチングインバータを含み、
前記出力変圧器が、２５０アンペア以上の電流を流す一次回路と、
７００アンペア以上の最大電流の動作範囲の電流を流す二次回路と、
前記二次電流を整流して、溶接に適したＤＣ電流にする出力整流器と、
を有する電気アーク溶接のための電源。
【請求項２】
前記二次回路が、多数の独立した巻線モジュールを含み、各モジュールが、所定の電流容量を有し、かつ総出力溶接電流が、前記独立した溶接モジュールの電流の合計であるように並列に接続されている請求項１に記載の電源。
【請求項３】
前記モジュールの各々が、
第１および第２の端部を有する第１の導電性チューブと、
第１および第２の端部を有する、平行で近接した第２の導電性チューブであって、前記一次回路の１つまたはそれ以上の一次巻線を収容する細長い中央通路を有する第２の導電性チューブと、
前記チューブの各々を囲む磁気コアと、
前記チューブの前記第１の端部間を接合するジャンパストラップと、
前記チューブの前記第２の端部間にコネクタを形成する回路と、
を備える請求項２に記載の電源。
【請求項４】
前記磁気コアの各々が、それぞれ前記チューブの１つの周囲に配置され、複数のドーナツ状リングを備える請求項３に記載の電源。
【請求項５】
前記モジュールは、前記ジャンパストラップの上で、前記平行なチューブの前記中央通路間にガイド面を有する突出片を含む請求項３または４に記載の電源。
【請求項６】
第１および第２の端部を有する第３の導電性チューブと、第１および第２の端部を有する第４の導電性チューブと、前記第３および第４のチューブの前記第１の端部を前記第１および第２のチューブに、互いに平行関係になるように接続する第２のジャンパストラップとを備える導電性アセンブリであって、
前記第３および第４の平行なチューブが、それぞれ、前記第１および第２のチューブの前記通路内に入れ子状にはめ込まれており、かつ前記第１および第２のジャンパストラップを互いに離間させた状態で、前記一次回路の前記一次巻線を収容する細長い通路を有し、
導電性アセンブリは、
前記第１および第２のチューブ間の第１のチューブ状インシュレータと、
前記第３および第４のチューブ間の第２のチューブ状インシュレータと、
前記導電性アセンブリを前記第１および第２のチューブの一方の第２の端部に接合して、前記チューブを直列回路に形成する中央タップコネクタと、
を含む請求項３〜５の何れかに記載の電源。
【請求項７】
前記第１および第２のチューブの一方の前記第２の端部と、前記第３および第４のチューブの一方の一端部とが、整流器に接続されている請求項６に記載の電源。
【請求項８】
前記ジャンパストラップの間にインシュレータを含む請求項６に記載の電源。
【請求項９】
前記ジャンパストラップが中央タップである請求項３〜５のいずれか一項に記載の電源。
【請求項１０】
前記モジュールの各々が、
チューブ状インシュレータによって絶縁された同心で、入れ子状にはめ込まれた導電性チューブの第１の同軸セットと、
チューブ状インシュレータによって絶縁された同心で、入れ子状にはめ込まれた導電性チューブの第２の同軸セットと、
前記セットの各々の周囲の磁気コアとからなり、
前記セットが、それぞれ、前記一次回路の少なくとも一つの一次巻線を収容する細長い中央通路と、前記セットの前記チューブを直列回路に接続する導電体とからなることを特徴とする請求項２に記載の電源。
【請求項１１】
前記高速スイッチングインバータが、２０ｋＨｚを超える周波数で作動する請求項１または２に記載の電源。
【請求項１２】
約４００ＶＡＣを超える電圧を有する三相入力電源を含む請求項１または２に記載の電源。
【請求項１３】
前記入力電源と前記インバータとの間に力率補正回路を含む請求項１２に記載の電源。
【請求項１４】
前記力率補正回路が受動回路である請求項１３に記載の電源。
【請求項１５】
前記インバータが、パルス幅変調器によって制御される請求項１４に記載の電源。
【請求項１６】
前記パルス幅変調器が、前記インバータの位相シフトを制御する請求項１５に記載の電源。
【請求項１７】
前記パルス幅変調器が、波形ジェネレータによって駆動される、請求項１５又は１６に記載の電源。
【請求項１８】
前記インバータが、波形ジェネレータによって駆動されるパルス幅変調器によって制御される請求項１２に記載の電源。
【請求項１９】
前記パルス幅変調器が、前記インバータの位相シフトを制御する請求項１８に記載の電源。
【請求項２０】
前記パルス幅変調器が、波形ジェネレータによって駆動される請求項１９に記載の電源。
【請求項２１】
前記インバータが、パルス幅変調器によって制御される請求項１〜２０に記載の電源。
【請求項２２】
前記パルス幅変調器が、前記インバータの位相シフトを制御する請求項２１に記載の電源。
【請求項２３】
前記パルス幅変調器が、波形ジェネレータによって駆動される請求項２１又は２２に記載の電源。
【請求項２４】
被加工物上の経路に沿ったサブマージアーク溶接の方法であって、
（ａ）三相電源の４００ＶＡＣを超える電圧を整流してＤＣ信号を得る工程と、
（ｂ）前記ＤＣ信号を力率補正して、４００ＶＤＣ以上の電圧レベルをＤＣバスに出力する工程と、
（ｃ）前記ＤＣバス上の電圧を高速スイッチングによって、２５０アンペアを超える最大電流レベルを有するＡＣ信号に変換する工程と、
（ｄ）前記ＡＣ信号を、７００アンペア以上の最大電流レベルを有する溶接電流に変換する工程と、
（ｅ）前記溶接電流を、前記被加工物から離間したサブマージアーク電極に接続する工程と、
（ｆ）前記電極を、前記被加工物に対して、及び前記経路に沿って移動させる工程とを含む方法。
【請求項２５】
経路に沿った溶接の方法であって、
（ａ）三相電源の４００ＶＡＣを超える電圧を整流してＤＣ信号を得る工程と、
（ｂ）前記ＤＣ信号を力率補正して、４００ＶＤＣ以上の電圧レベルをＤＣバスに出力する工程と、
（ｃ）前記ＤＣバス上の電圧を高速スイッチングによって、２５０アンペアを超える最大電流レベルを有するＡＣ信号に変換する工程と、
（ｄ）前記ＡＣ信号を、７００アンペア以上の最大電流レベルを有する溶接電流に変換する工程と、
（ｅ）前記溶接電流を、２．３ミリ以上の径を有する電極に接続する工程と、
（ｆ）前記電極を、前記経路に沿って移動させる工程とを含む方法。
【請求項２６】
前記溶接電流が、ＤＣ電流およびＡＣ電流の間で選択可能である請求項２４又は２５に記載の方法。
【請求項２７】
前記溶接電流が、前記溶接電流の極性反転を伴うＡＣ電流である請求項２４又は２５に記載の方法。
【請求項２８】
極性反転前に、前記変換動作の前記電流レベルを低減する動作を含む請求項２７に記載の方法。
【請求項２９】
前記電極が、少なくとも２．３ミリの径を有する請求項２４に記載の方法。
【請求項３０】
前記（ｄ）の変換する工程が、並列に接続された少なくとも３つの二次巻線を有する変圧器によって行われる２４〜２９のいずれか一項に記載の方法。
【請求項３１】
前記（ｄ）の変換する工程が、一方の極性の電流のための第１の一次巻線と、反対極性の電流のための第２の一次巻線とを有する変圧器によって行われる請求項２４〜２９のいずれか一項に記載の方法。
【請求項３２】
前記一次巻線の電流が、前記一次巻線の反対側の一組のスイッチのデューティサイクルによって決まる請求項３１に記載の方法。
【請求項３３】
電気アーク溶接機用の電源が、出力トランスに接続された高速スイッチングインバータからなり、前記出力トランスが、
前記高速スイッチングインバータで駆動される一次ネットワークと、
前記一次ネットワークに磁気的に接続した複数の二次巻線を含む二次回路とを含み、
前記複数の二次巻線が、並列に接続され、７００アンペア以上の最大レベルを有する溶接に適した二次出力電流を供給するように構成したことを特徴とする電源。
【請求項３４】
溶接電流を生成する方法であって、
（ａ）ＡＣ電力を整流してＤＣ信号を得る工程と、
（ｂ）前記ＤＣ信号を力率補正して、ＤＣバスに出力する工程と、
（ｃ）前記ＤＣバス上の電圧を高速スイッチングによって、ＡＣ信号に変換する工程と、
（ｄ）前記ＡＣ信号を、７００アンペア以上の最大電流レベルを有する溶接電流に変換する工程と、
を含むことを特徴とする方法。